(57)【特許請求の範囲】
【請求項１】
ロールの表面から紙を剥離させ、剥離させた紙を所定の方向に案内するために用いる抄紙機の通紙用ドクター装置であって、
ロールの表面から紙を剥離させるためのドクター装置と、当該ロールの表面から剥離した後の紙を所定の方向に案内するための通紙ユニットとを有し、
前記ドクター装置は、前記紙の前記表面に圧接されるドクターブレードと、このドクターブレードを保持しているブレードホルダと、前記ドクターブレードが前記表面に対して接近および離間する方向に移動可能な状態で前記ブレードホルダを支持している支持部材とを備え、前記通紙ユニットは、前記ドクター装置の前記支持部材に取り付けられており、
前記通紙ユニットは、
紙を所定方向に案内するための紙案内面を備えた紙案内部材と、
前記紙案内面に沿って、当該紙案内面における紙案内方向の上流側から下流側に向かう空気流を形成する空気流形成手段と、
前記紙案内面における紙案内方向の途中位置に形成され、当該紙案内面および当該紙案内面に沿って案内される紙の間に形成される前記空気流の一部を、前記紙案内部材の側に逃がすための空気逃がし部とを有しており、
前記空気流形成手段は、前記紙案内部材における前記紙案内方向の上流端に取り付けた空気供給管と、この空気供給管に形成された複数の空気ノズルとを備えており、
前記空気逃がし部は、前記紙案内方向に対して直交する方向に延び、当該方向の両端が開放状態となっている所定幅および深さの空気逃がし溝であり、
前記紙案内部材として、前記空気逃がし溝を挟み、前記紙案内方向の上流側において前記支持部材に取り付けた前側案内板と、下流側において前記支持部材に取り付けた後側案内板とを備えており、
前記紙案内面として、前記空気逃がし溝の溝開口を挟み、前記紙案内方向の上流側において前記前側案内板の表面によって規定される前側紙案内面と、前記紙案内方向の下流側において前記後側紙案内面の表面によって規定される後側紙案内面とを備えており、
前記前側紙案内面は、前記紙案内方向の下流側に向かって支持部材から離れる方向に傾斜している傾斜面であり、
前記後側紙案内面は、前記支持部材からの高さが同一のまま前記紙案内方向に延びている面であり、かつ、前記前側紙案内面における前記紙案内方向の下流端と同一の高さ位置にある面であることを特徴とする通紙用ドクター装置。
【請求項２】
請求項１において、
前記通紙ユニットにおける前記紙案内方向の下流側には、前記支持部材に取り付けた第２通紙ユニットが連結されており、
前記第２通紙ユニットは、
紙を所定の第２紙案内方向に案内するための第２紙案内面を備えた第２紙案内部材と、
前記第２紙案内面に沿って、当該第２紙案内面における前記第２紙案内方向の上流側から下流側に向かう第２空気流を形成する第２空気流形成手段とを有しており、
前記第２空気流形成手段は、前記第２紙案内部材における前記第２紙案内方向の上流端に取り付けた第２空気供給管と、この第２空気供給管に形成された複数の第２空気ノズルとを備えていることを特徴とする通紙用ドクター装置。
【請求項３】
請求項２において、
前記第２通紙ユニットによる前記第２紙案内方向は、前記通紙ユニットによる前記紙案内方向に対して所定角度だけ傾斜した方向であることを特徴とする通紙用ドクター装置。
【請求項４】
請求項２または３において、
前記第２通紙ユニットは、前記通紙ユニットに対して着脱可能な状態で連結されていることを特徴とする通紙用ドクター装置。
【発明の詳細な説明】
【技術分野】
【０００１】
本発明は、抄紙機の各ロール間あるいは各工程間において通紙作業を手作業に頼ることなく行うために用いる抄紙機の通紙ユニット、当該通紙ユニットを備えた通紙装置、および、当該通紙ユニットあるいは通紙装置を備えた通紙用ドクター装置に関するものである。
【背景技術】
【０００２】
近年、抄紙工程および仕上げ工程での省力化の中で、プレスロール、キャレンダーロール、サイズプレスロール、コーターロールなどにおける通紙に掛かる手間や時間を改善したいとの要望が増加している。かかる要望に応えるためには、通紙作業を機械化し、各パートでの通紙時間を大幅に短縮すると共に、手作業による危険な通紙作業を廃止あるいは減らすことが必要である。
【０００３】
例えば、抄紙機のプレスロールからドライヤーまで通紙する作業においては、プレスロールの表面から湿紙を剥がし、ここから引き出してドライヤーに掛け渡す通紙作業が必要である。最初から全幅の湿紙を引き出して掛け渡すことは困難であるので、１００ｍｍ程度の細幅のテールと呼ばれる湿紙部分について通紙作業を行い、これに連続している湿紙部分の幅を徐々に広げて全幅の湿紙部分の通紙状態を形成するようにしている。また、各パートのロールに通紙を行うためにキャリアロープが用いられている。
【０００４】
ここで、プレスロールの表面に貼りついたテールを剥離して次工程のロールに引き渡すために、ドクターブレードを用いてテールを剥離する方法が提案されている。特許文献１、２にはドクター装置を用いた抄紙機の通紙方法が提案されている。
【特許文献１】特許第３８２００２０号公報
【特許文献２】特開２０００−１９２３９１号公報
【発明の開示】
【発明が解決しようとする課題】
【０００５】
ドクター装置を用いてロールの表面から紙を剥離させ、剥離後の紙を次工程のロールなどに掛け渡す場合には、剥離した紙がドクターブレードに貼り付いて引き出すことが出来なくなるなどの弊害を防止するために、剥離した紙に空気を吹き付けてドクターブレードから離しながら引き出すようにしている。
【０００６】
しかしながら、このような通紙方法では、ドクターブレードによってロールの表面から剥離した紙が吹き飛ばされ、目標とする方向に引き出すことができない。このため、ロールの表面から剥離させた紙を次工程のロールに向けて引き出して当該ロールに掛け渡す通紙作業を効率良く行うことができない。
【０００７】
本発明の課題は、このような点に鑑みて、抄紙機のロール間の通紙作業を効率良く行うことのできる通紙ユニット、当該通紙ユニットを備えた通紙装置、および、当該通紙ユニットあるいは通紙装置を備えた通紙用ドクター装置を提案することにある。
【課題を解決するための手段】
【０００８】
上記の課題を解決するために、本発明は、ロールの表面から紙を剥離させ、剥離させた紙を所定の方向に案内するために用いる抄紙機の通紙用ドクター装置であって、
ロールの表面から紙を剥離させるためのドクター装置と、当該ロールの表面から剥離した後の紙を所定の方向に案内するための通紙ユニットとを有し、
前記ドクター装置は、前記紙の前記表面に圧接されるドクターブレードと、このドクターブレードを保持しているブレードホルダと、前記ドクターブレードが前記表面に対して接近および離間する方向に移動可能な状態で前記ブレードホルダを支持している支持部材とを備え、前記通紙ユニットは、前記ドクター装置の前記支持部材に取り付けられており、
前記通紙ユニットは、
紙を所定方向に案内するための紙案内面を備えた紙案内部材と、
前記紙案内面に沿って、当該紙案内面における紙案内方向の上流側から下流側に向かう空気流を形成する空気流形成手段と、
前記紙案内面における紙案内方向の途中位置に形成され、当該紙案内面および当該紙案内面に沿って案内される紙の間に形成される前記空気流の一部を、前記紙案内部材の側に逃がすための空気逃がし部とを有しており、
前記空気流形成手段は、前記紙案内部材における前記紙案内方向の上流端に取り付けた空気供給管と、この空気供給管に形成された複数の空気ノズルとを備えており、
前記空気逃がし部は、前記紙案内方向に対して直交する方向に延び、当該方向の両端が開放状態となっている所定幅および深さの空気逃がし溝であり、
前記紙案内部材として、前記空気逃がし溝を挟み、前記紙案内方向の上流側において前記支持部材に取り付けた前側案内板と、下流側において前記支持部材に取り付けた後側案内板とを備えており、
前記紙案内面として、前記空気逃がし溝の溝開口を挟み、前記紙案内方向の上流側において前記前側案内板の表面によって規定される前側紙案内面と、前記紙案内方向の下流側において前記後側紙案内面の表面によって規定される後側紙案内面とを備えており、
前記前側紙案内面は、前記紙案内方向の下流側に向かって支持部材から離れる方向に傾斜している傾斜面であり、
前記後側紙案内面は、前記支持部材からの高さが同一のまま前記紙案内方向に延びている面であり、かつ、前記前側紙案内面における前記紙案内方向の下流端と同一の高さ位置にある面であることを特徴としている。
【０００９】
ロールの表面から離れた紙は紙案内面に沿って引き出される。紙案内面に沿って紙案内方向に向かう空気流が形成されているので、この空気流によって紙が紙案内面に沿って引き出される。また、紙案内面および紙の間を流れる空気流の一部が空気逃がし部によって紙案内部材の側に流れるので、紙が紙案内面の側に吸引されながら当該紙案内面に沿って引き出される。したがって、ロールの表面から離れた紙を紙案内面に沿って確実に引き出すことができる。
【００１３】
次に、紙を案内する距離が長い場合には、上記構成の通紙ユニットを紙案内方向に複数個連結した構造の通紙装置を用いればよい。
【００１４】
すなわち、本発明の通紙用ドクター装置は、上記構成に加えて、
前記通紙ユニットにおける前記紙案内方向の下流側には、前記支持部材に取り付けた第２通紙ユニットが連結されており、
前記第２通紙ユニットは、
紙を所定の第２紙案内方向に案内するための第２紙案内面を備えた第２紙案内部材と、
前記第２紙案内面に沿って、当該第２紙案内面における前記第２紙案内方向の上流側から下流側に向かう第２空気流を形成する第２空気流形成手段とを有しており、
前記第２空気流形成手段は、前記第２紙案内部材における前記第２紙案内方向の上流端に取り付けた第２空気供給管と、この第２空気供給管に形成された複数の第２空気ノズルとを備えていることを特徴としている。
【００１５】
ここで、前記第２通紙ユニットによる前記第２紙案内方向を、前記通紙ユニットによる前記紙案内方向に対して、所定角度だけ傾斜した方向となるようにすれば、紙の案内方向を目標とする方向に向けることができる。
【００１６】
また、紙を案内する距離を簡単に変更できるようにするためには、前記第２通紙ユニットを前記通紙ユニットに対して着脱可能な状態で連結しておけばよい。
【発明の効果】
【００２０】
本発明では、ロールの表面から引き出される紙と、この紙を案内するための紙案内面との間に、紙案内方向に流れる空気流を形成し、この空気流の一部を、紙および紙案内面の間から当該紙案内面における途中位置に形成した空気逃がし部から逃がすようにしている。
【００２１】
このような空気流によって、紙が紙案内面の側に吸引されながら当該紙案内面に沿って送り出される。すなわち、空気流によって紙の送り出し方向を紙案内面に沿った方向に規制することができる。よって、通紙作業を簡単な構成により効率良く行うことが可能になる。
【発明を実施するための最良の形態】
【００２２】
以下に、図面を参照して本発明を適用した通紙用ドクター装置の実施の形態を説明する。
【００２３】
図１は本実施の形態に係る通紙用ドクター装置が付設された抄紙機のプレスパートを示す部分説明図である。プレストップロール１と次段ロール２の間に通紙用ドクター装置３が配置されている。この通紙用ドクター装置３によって、プレストップロール１の表面から湿紙４のテール４ａを剥離し、剥離後のテール４ａを次段ロール２に向けて引き出して当該ロール２に掛け渡す通紙作業が行われる。
【００２４】
図２は本例の通紙用ドクター装置４を示す概略構成図であり、図３はその通紙動作を示す説明図である。通紙用ドクター装置３は、プレストップロール１の表面１ａから湿紙４のテール４ａを剥離するためのドクター装置１０と、剥離後のテール４ａを次段ロール２に向けて案内するために、ドクター装置１０の後側に取り付けられている通紙装置２０とを備えている。
【００２５】
ドクター装置１０は、プレストップロール１の表面１ａに刃先１１ａを圧接可能な所定幅のドクターブレード１１と、このドクターブレード１１の後端部１１ｂが着脱可能な状態で差し込まれている先端部１２ａを備えたブレードホルダ１２と、このブレードホルダ１２を支持している支持部材１３とを備えている。ブレードホルダ１２は、支持部材１３によって支持されている支軸１４を中心としてプレストップロール１の表面１ａに接近および離間する方向に旋回可能な状態で支持されている。
【００２６】
支軸１４の前後には、開放用エアーチューブ１５および圧接用エアーチューブ１６が配置されており、開放用エアーチューブ１５にエアーを供給して膨張させると、ブレードホルダ１２がプレストップロール１の表面１ａから離れる方向に旋回し、その先端部１２ａに取り付けられているブレードホルダ１１の刃先１１ａがプレストップロール１の表面１ａから離れた開放状態を形成できる。圧接用エアーチューブ１６を膨張させると、ブレードホルダ１２が逆方向に旋回し、ブレードホルダ１１の刃先１１ａがプレストップロール１の表面１ａに圧接された状態を形成できる。
【００２７】
ブレードホルダ１２は、ドクターブレード１１とほぼ同一幅の一定厚さのトッププレート１７と、このトッププレート１７の裏面に取り付けたフィンガープレート１８とを備えている。トッププレート１７とフィンガープレート１８の先端部の間にドクターブレード１１の後端部１１ｂが着脱可能な状態で差し込まれている。また、フィンガープレート１８が支軸１４によって旋回可能な状態で支持されている。
【００２８】
支持部材１３の両端には、図１に示すように、ブラケット１９ａが取り付けられており、これらのブラケット１９ａにはジャーナル軸１９ｂが取り付けられている。これらのジャーナル軸１９ｂが不図示の固定側の架台によって回転可能な状態で支持されている。また、支持部材１３はジャーナル軸１９ｂを中心とする所定の旋回位置に、ターンバックル１９ｃなどによって固定されている。
【００２９】
ドクター装置１０の後側に取り付けられている通紙装置２０は、支持部材１３に取り付けられた第１通紙ユニット２０(１)と第２通紙ユニット２０(２)を備えている。第１通紙ユニット２０(１)は、ブレードホルダ１２の後側の位置において、ドクター装置１０の幅方向に延び状態で支持部材１３に取り付けた矩形筒状断面の圧縮空気供給管２１と、この圧縮空気供給管２１の後側の位置において支持部材１３に取り付けた前側紙案内板２２と、この前側紙案内板２２の後側の位置において支持部材１３に取り付けた後側紙案内板２３とを備えている。
【００３０】
圧縮空気供給管２１の一方の端は封鎖されており、他方の端は不図示の圧縮空気供給源に接続されており、圧縮空気が供給されるようになっている。圧縮空気供給管２１における後ろ側の側面部分２１ａには、その上面部分２１ｂに片寄った位置に、軸線方向に沿って一定の間隔で複数個のエアーノズル２４が形成されている。これらのエアーノズル２４からは後方に向けて空気が吹き出されるようになっている。
【００３１】
前側紙案内板２２は、表面が紙案内面２２ａとされている天板部分２２ｂと、この後端部から支持部材１３の側に折り曲げられている端板部分２２ｃとを備えている。天板部分２２ｂの前端２２ｄが圧縮空気供給管２１の後側の側面部分２１ａにおけるエアーノズル２４よりも支持部材１３の側の位置に固定されている。天板部分２２ｂは後方に向かって支持部材１３から離れる方向に傾斜しており、したがって、その表面によって規定されている紙案内面２２ａも同様な傾斜面とされている。
【００３２】
後側紙案内板２３は、表面が紙案内面２３ａとされている天板部分２３ｂと、この天板部分２３ｂの前後の端から支持部材１３の側に略直角に折れ曲がって延びている前側の端板部分２３ｃおよび後側の端板部分２３ｄとを備えている。前後の端板部分２３ｃ、２３ｄは同一高さであり、前側紙案内板２２の後側の端板部分２１ａとほぼ同一の高さとされている。
【００３３】
これら前側紙案内板２２の後側の端板部分２２ｃと、後側紙案内板２３の前側の端板部分２３ｃとの間には、これらと支持部材１３とによって、幅方向に延びる一定幅の空気逃がし溝２５が形成されている。この空気逃がし溝２５の幅方向の両端は開放状態となっている。
【００３４】
次に、この構造の第１通紙ユニット２０(１)の後側に配置されている第２通紙ユニット２０(２)は、矩形筒断面形状の圧縮空気供給管３１と紙案内部材３２とを備えている。圧縮空気供給管３１は上記の圧縮空気供給管２１と同一形状のものであり、その後側の側面部分３１ａには幅方向に沿って一定間隔でエアーノズル３４が形成されている。紙案内板３２は上記の前側紙案内板２２と同一構造である。第２通紙ユニット２０(２)は、その圧縮空気供給管３１の前側の側面部分３１ｂが、第１通紙ユニット２０(１)の後側の端板部分２３ｄに当接した状態で、支持部材１３に取り付けられている。
【００３５】
このように構成された通紙用ドクター装置１による通紙動作を説明する。ドクター装置１０のドクターブレード１１の刃先１１ａをプレストップロール１の表面１ａに圧接させた状態でプレストップロール１を回転させることにより、その表面１ａに貼り付いている湿紙４の細幅のテール４ａが当該表面１ａから剥離させられる。剥離後のテール４ａはドクターブレード１１の表面１１ｃからトッププレート１７の表面に沿って後側の通紙装置２０に送り出される。
【００３６】
通紙装置２０における第１および第２通紙ユニット２０(１)、２０(２)の圧縮空気供給管２１、３１には不図示の圧縮空気供給源から圧縮空気が供給されている。これらの圧縮空気供給管２１、３１のエアーノズル２４、３４からは紙案内方向に向けて空気が吹き出されている。エアーノズル２４から吹き出される空気によって、紙案内面２２ａ、２３ａに沿って後方に向かう空気流が形成され、エアーノズル３４から吹き出される空気によって紙案内面３２ａに沿って後方に向かう空気流が形成される。
【００３７】
ドクター装置１０のトッププレート１７から後方に送り出されたテール４ａは、圧縮空気供給管２１の上側の側面部分２１ｃから紙案内面２２ａ、２３ａに沿って後方に送り出される。ここで、エアーノズル２４から吹き出される空気によって形成されている空気流は、紙案内面２２ａ、２３ａとテール４ａの間を後方に向かって流れている。紙案内面２２ａおよび２３ａの間には幅方向に延びる空気逃がし溝２５が形成されているので、空気流の一部が当該空気逃がし溝２５に入り込み、当該空気逃がし溝２５に沿って流れて、その両端から外部に排出される。かかる空気の流れによって、テール４ａを空気逃がし溝２５の側に吸引する吸引力が生ずる。この結果、テール４ａは、紙案内面２２ａ、２３ａに密着した状態で、これらに沿って後方に案内され、第２通紙ユニット２０(２)の圧縮空気供給管３１を超えて紙案内面３２ａに到る。この後は、当該紙案内面３２ａに沿って後方に向かう空気流によって、テール４ａは次段ロール２の表面２ａに引き渡し可能な位置まで案内される。
【００３８】
このように、本例では、紙案内面２２ａ、２３ａの間に空気逃がし溝２５を形成してあるので、紙案内面２２ａ、２３ａに沿って後方に向かう空気流によってテール４ａが紙案内面２２ａ、２３ａの側に吸引された状態で送り出される。したがって、プレストップロール１の表面１ａから離れたテール４ａが紙案内面２２ａ、２３ａによって規定される紙案内方向とは異なる方向に送り出されることなく、当該紙案内面２２ａ、２３ａに沿って送り出されて、次段ロール２に確実に引き渡される。よって、通紙作業を簡単かつ確実に行うことができる。
【００３９】
(その他の実施の形態)
上記の例では、ドクター装置１０としてエアーチューブを備えた形式のものを用いている。ドクターブレード１１をロール表面に対して圧接および離間させるためにエアーチューブ以外の機構を備えたドクター装置を用いることもできる。
【００４０】
また、通紙装置２０として通紙ユニット２０(１)を多段に連結した構造のものを用いることもできる。また、通紙装置２０として、通紙ユニット２０(２)を一定の間隔だけ離して多段に配置し、これらの間を空気逃がし溝とした構造のものを用いることもできる。さらに、通紙ユニットとしては、前側紙案内板および後側紙案内板のみでなく、３枚以上の紙案内板を備え、これらの間の空気逃がし溝が形成された構造のものを用いることもできる。
【００４１】
さらに、通紙装置２０が取り付けられている支持部材１３を後方に向けて湾曲あるいは折り曲げることにより、通紙ユニットによる紙案内方向を変化させるようにすることもできる。
【００４２】
一方、上記の例では空気逃がし溝を形成してテール４ａを紙案内面２２ａ、２３ａの側に吸引するようにしているが、空気逃がし部としては、紙案内面２２ａ、２３ａに形成した多数の空気逃がし穴を用いることもできる。
【図面の簡単な説明】
【００４３】
【図１】本発明を適用した通紙用ドクター装置を備えたプレスパートを示す説明図である。
【図２】通紙用ドクター装置を示す概略構成図である。
【図３】通紙用ドクター装置の通紙動作を示す説明図である。
【符号の説明】
【００４４】
１    プレストップロール
１ａ  表面
２    次段ロール
２ａ  表面
３    通紙用ドクター装置
４    湿紙
４ａ  テール
１０  ドクター装置
１１  ドクターブレード
１１ａ  刃先
１１ｂ  後端部
１１ｃ  表面
１２  ブレードホルダ
１２ａ  先端部
１３  支持部材
１４  支軸
１５  開放用エアーチューブ
１６  圧接用エアーチューブ
１７  トッププレート
１８  フィンガープレート
２０  通紙装置
２０(１)  第１通紙ユニット
２０(２)  第２通紙ユニット
２１  圧縮空気供給管
２１ａ  側面部分
２１ｂ  上面部分
２１ｃ  側面部分
２２  前側紙案内板
２２ａ  紙案内面
２２ｂ  天板部分
２２ｃ  端板部分
２２ｄ  前端
２３  後側紙案内板
２３ａ  紙案内面
２３ｂ  天板部分
２３ｃ  端板部分
２３ｄ  端板部分
２４  エアーノズル
２５  空気逃がし溝
３１  圧縮空気供給管
３１ａ  側面部分
３１ｂ  側面部分
３２  紙案内面
３４  エアーノズル
【図１】
0004965231.tif 000002
【図２】
0004965231.tif 000003
【図３】
0004965231.tif 000004